(57)【要約】【課題】ファイルを画像処理装置と携帯情報装置とにまたがって取り扱う場合に、ファイルの管理、追跡等を簡単に行うことができる画像処理連携システム等を提供する。【解決手段】携帯情報装置２の連携手段２０９により携帯情報装置に表示された、画像処理装置１の機能を使用するための操作用画面からのユーザの操作指示に基づいて、画像処理装置により携帯情報装置へ送信されるファイルが作成され携帯情報装置に送信され、ファイルについて、送信履歴を含むログ情報が画像処理装置で作成される。携帯情報装置は、送信されたファイルをファイル処理手段の要求に応じて転送するとともに、画像処理装置で作成された前記ファイルについてのログ情報と、携帯情報装置内でのファイルについてのログ情報を取得する。そして、取得した画像処理装置側のログ情報と携帯情報装置内のログ情報とを一括して管理する。【選択図】  図４
2014021874.tif 000002
【特許請求の範囲】
【請求項１】
画像処理装置及び該画像処理装置と有線または無線で接続可能な携帯情報装置を備えた画像処理連携システムであって、
前記画像処理装置は、
前記携帯情報装置からのユーザの指示に基づいて、前記携帯情報装置へ送信されるファイルを作成するファイル作成手段と、
前記携帯情報装置からのユーザの指示に基づいて、前記ファイル作成手段により作成されたファイルを前記携帯情報装置に送信する送信手段と、
前記ファイルについて、前記送信手段の送信履歴を含む自装置内でのログ情報を作成するログ情報作成手段と、
を備え、
前記携帯情報装置は、
表示手段と、
前記ファイルを処理する１個または複数個のファイル処理手段と、
前記画像処理装置の機能を使用するための操作用画面を前記表示手段に表示するとともに、前記操作用画面からユーザにより入力された前記ファイルの作成指示及び送信指示を前記画像処理装置に送信し、該指示に基づいて画像処理装置で作成され送信されてきた前記ファイルを受信し、前記ファイル処理手段の要求に応じて前記ファイルをファイル処理手段に転送する連携手段と、
前記画像処理装置のログ情報作成手段により作成された前記ファイルについてのログ情報と、自装置内での前記ファイルについてのログ情報を取得するログ情報取得手段と、
前記ログ情報取得手段により取得された画像処理装置側のログ情報と自装置内のログ情報とを一括して管理するログ情報管理手段と、
を備えたことを特徴とする画像処理連携システム。
【請求項２】
前記携帯情報装置のログ情報取得手段は、前記画像処理装置からのログ情報の送信を待って該画像処理装置側のログ情報を取得するか、または画像処理装置にログ情報の取得要求を行うことにより画像処理装置側のログ情報を取得する請求項１に記載の画像処理連携システム。
【請求項３】
前記携帯情報装置のログ情報取得手段による画像処理装置へのログ情報の取得要求は、画像処理装置からの前記ファイルの受信時か、所定のユーザ操作がなされた時か、または定期的に行われる請求項２に記載の画像処理連携システム。
【請求項４】
前記携帯情報装置のログ情報取得手段は、前記各ファイル処理手段から操作ログを取得することにより自装置内のログ情報を取得する請求項１〜３のいずれかに記載の画像処理連携システム。
【請求項５】
前記携帯情報装置のログ情報取得手段は、前記ファイル処理手段への前記ファイル転送の実行ログを自装置内のログ情報として取得する請求項１〜３のいずれかに記載の画像処理連携システム。
【請求項６】
前記携帯情報装置のログ情報取得手段による自装置内のログ情報の取得は、前記ファイル処理手段へのファイルの転送時か、前記ファイル処理手段からファイルの転送要求があった時か、ファイル処理手段によるファイル処理の終了時か、所定のユーザ操作がなされた時か、または定期的に行われる請求項１〜５のいずれかに記載の画像処理連携システム。
【請求項７】
画像処理装置及び該画像処理装置と有線または無線で接続可能な携帯情報装置を備えた画像処理連携システムであって、
前記画像処理装置は、
前記携帯情報装置からのユーザのジョブ実行指示に基づいて、携帯情報装置から送信されたファイルについてのジョブを実行するジョブ実行手段と、
前記ジョブ実行手段によるジョブ履歴を含む前記ファイルについての自装置内でのログ情報を作成するログ情報作成手段と、
を備え、
前記携帯情報装置は、
表示手段と、
ジョブ実行対象のファイルを作成する１個または複数個のファイル処理手段と、
前記画像処理装置の機能を使用するための操作用画面を前記表示手段に表示するとともに、前記ファイル処理手段により作成されたファイルを受信し、前記操作用画面からユーザにより入力されたジョブ実行指示と前記受信したファイルとを画像処理装置に送信する連携手段と、
前記画像処理装置のログ情報作成手段により作成された前記ファイルについてのログ情報と、自装置内での前記ファイルについてのログ情報とを取得するログ情報取得手段と、
前記ログ情報取得手段により取得された画像処理装置側のログ情報と自装置内のログ情報とを一括して管理するログ情報管理手段と、
を備えたことを特徴とする画像処理連携システム。
【請求項８】
前記携帯情報装置のログ情報取得手段は、前記画像処理装置からのログ情報の送信を待って該画像処理装置側のログ情報を取得するか、または画像処理装置に取得要求を行うことにより画像処理装置側のログ情報を取得する請求項７に記載の画像処理連携システム。
【請求項９】
前記携帯情報装置のログ情報取得手段による画像処理装置へのログ情報の取得要求は、ジョブの実行完了後に前記画像形成装置から送信されるジョブの実行完了通知の受信時か、所定のユーザ操作がなされた時か、または定期的に行われる請求項８に記載の画像処理連携システム。
【請求項１０】
前記携帯情報装置のログ情報取得手段は、前記各ファイル処理手段から操作ログを取得することにより自装置内のログ情報を取得する請求項７〜９のいずれかに記載の画像処理連携システム。
【請求項１１】
前記携帯情報装置のログ情報取得手段は、前記ファイル処理手段からの前記ファイル受信の実行ログを自装置内のログ情報として取得する請求項７〜９のいずれかに記載の画像処理連携システム。
【請求項１２】
前記携帯情報装置のログ情報取得手段による自装置内のログ情報の取得は、前記ファイル処理手段からのファイルの受信時か、所定のユーザ操作がなされた時か、または定期的に行われる請求項７〜１１のいずれかに記載の画像処理連携システム。
【請求項１３】
前記携帯情報装置は、前記ログ情報管理手段により管理されている同一のファイルについての画像処理装置側及び自装置側のログ情報を、ユーザの要求に応じて前記表示手段に一覧表示させる表示制御手段をさらに備えている請求項１〜１２のいずれかに記載の画像処理連携システム。
【請求項１４】
前記携帯情報装置は、前記ログ情報管理手段で管理されている画像処理装置側及び自装置側のログ情報を、前記画像処理装置に送信する送信手段を備え、
前記画像処理装置は、前記ログ情報作成手段により作成された自装置側のログ情報を、前記携帯情報装置から送信された自装置及び携帯情報装置側のログ情報で上書きする請求項１〜１３のいずれかに記載の画像処理連携システム。
【請求項１５】
前記携帯情報装置には、中継アプリケーションと１個または複数個の汎用アプリケーションがインストールされるとともに、これらのアプリケーションを実行するアプリケーション実行手段を有し、
前記連携手段、ログ情報取得手段及びログ情報管理手段は、前記アプリケーション実行手段が前記中継アプリケーションを実行することにより構成され、前記ファイル処理手段は、前記アプリケーション実行手段が前記汎用アプリケーションを実行することにより構成される請求項１〜１４のいずれかに記載の画像処理連携システム。
【請求項１６】
画像処理装置及び該画像処理装置と有線または無線で接続可能な携帯情報装置を備えた画像処理連携システムで実施される画像処理連携方法であって、
前記画像処理装置は、
前記携帯情報装置からのユーザの指示に基づいて、前記携帯情報装置へ送信されるファイルを作成するファイル作成ステップと、
前記携帯情報装置からのユーザの指示に基づいて、前記ファイル作成ステップにおいて作成されたファイルを前記携帯情報装置に送信する送信ステップと、
前記ファイルについて、前記送信ステップでの送信履歴を含む自装置内でのログ情報を作成するログ情報作成ステップと、
を実施し、
前記携帯情報装置は、
前記ファイルを処理する１個または複数個のファイル処理ステップと、
前記画像処理装置の機能を使用するための操作用画面を表示手段に表示するとともに、前記操作用画面からユーザにより入力された前記ファイルの作成指示及び送信指示を前記画像処理装置に送信し、該指示に基づいて画像処理装置で作成され送信されてきた前記ファイルを受信し、前記ファイル処理ステップからの要求に応じて前記ファイルをファイル処理ステップに転送する連携ステップと、
前記画像処理装置のログ情報作成ステップにおいて作成された前記ファイルについてのログ情報と、自装置内での前記ファイルについてのログ情報を取得するログ情報取得ステップと、
前記ログ情報取得ステップにおいて取得された画像処理装置側のログ情報と自装置内のログ情報とを一括して管理するログ情報管理ステップと、
を実施することを特徴とする画像処理連携方法。
【請求項１７】
画像処理装置及び該画像処理装置と有線または無線で接続可能な携帯情報装置を備えた画像処理連携システムで実施される画像処理連携方法であって、
前記画像処理装置は、
前記携帯情報装置からのユーザのジョブ実行指示に基づいて、携帯情報装置から送信されたファイルについてのジョブを実行するジョブ実行ステップと、
前記ジョブ実行ステップでのジョブ履歴を含む前記ファイルについての自装置内でのログ情報を作成するログ情報作成ステップと、
を実施し、
前記携帯情報装置は、
ジョブ実行対象のファイルを作成する１個または複数個のファイル処理ステップと、
前記画像処理装置の機能を使用するための操作用画面を表示手段に表示するとともに、前記ファイル処理ステップにおいて作成されたファイルを受信し、前記操作用画面からユーザにより入力されたジョブ実行指示と前記受信したファイルとを画像処理装置に送信する連携ステップと、
前記画像処理装置のログ情報作成ステップにおいて作成された前記ファイルについてのログ情報と、自装置内での前記ファイルについてのログ情報とを取得するログ情報取得ステップと、
前記ログ情報取得ステップにおいて取得された画像処理装置側のログ情報と自装置内のログ情報とを一括して管理するログ情報管理ステップと、
を実施することを特徴とする画像処理連携方法。
【請求項１８】
携帯情報装置を有線または無線で接続可能な画像処理装置であって、
前記携帯情報装置からのユーザの指示に基づいて、前記携帯情報装置へ送信されるファイルを作成するファイル作成手段と、
前記携帯情報装置からのユーザの指示に基づいて、前記ファイル作成手段により作成されたファイルを前記携帯情報装置に送信する送信手段と、
前記ファイルについて、前記送信手段の送信履歴を含む自装置内でのログ情報を作成するログ情報作成手段と、
を備え、
前記送信手段は、前記ログ情報作成手段により作成されたログ情報を、前記携帯情報装置からのログ情報取得要求を待ってまたは待つことなく、携帯情報装置に送信することを特徴とする画像処理装置。
【請求項１９】
携帯情報装置を有線または無線で接続可能な画像処理装置であって、
前記携帯情報装置からのユーザのジョブ実行指示に基づいて、携帯情報装置から送信されたファイルについてのジョブを実行するジョブ実行手段と、
前記ジョブ実行手段によるジョブ履歴を含む前記ファイルについての自装置内でのログ情報を作成するログ情報作成手段と、
前記ログ情報作成手段により作成されたログ情報を、前記携帯情報装置からのログ情報取得要求を待ってまたは待つことなく、携帯情報装置に送信する送信手段と、
を備えたことを特徴とする画像処理装置。
【請求項２０】
携帯情報装置を有線または無線で接続可能な画像処理装置のコンピュータに実行させるための連携プログラムであって、
前記携帯情報装置からのユーザの指示に基づいて、前記携帯情報装置へ送信されるファイルを作成するファイル作成ステップと、
前記携帯情報装置からのユーザの指示に基づいて、前記ファイル作成ステップにおいて作成されたファイルを前記携帯情報装置に送信する送信ステップと、
前記ファイルについて、前記送信ステップでの送信履歴を含む画像処理装置内でのログ情報を作成するログ情報作成ステップと、
を前記コンピュータに実行させ、
前記送信ステップでは、前記ログ情報作成ステップにおいて作成されたログ情報を、前記携帯情報装置からのログ情報取得要求を待ってまたは待つことなく、携帯情報装置に送信する処理を前記コンピュータに実行させるための連携プログラム。
【請求項２１】
携帯情報装置を有線または無線で接続可能な画像処理装置のコンピュータに実行させるための連携プログラムであって、
前記携帯情報装置からのユーザのジョブ実行指示に基づいて、携帯情報装置から送信されたファイルについてのジョブを実行するジョブ実行ステップと、
前記ジョブ実行ステップでのジョブ履歴を含む前記ファイルについての自装置内でのログ情報を作成するログ情報作成ステップと、
前記ログ情報作成ステップにおいて作成されたログ情報を、前記携帯情報装置からのログ情報取得要求を待ってまたは待つことなく、携帯情報装置に送信する送信ステップと、
を前記コンピュータに実行させるための連携プログラム。
【請求項２２】
画像処理装置に有線または無線で接続可能な携帯情報装置であって、
表示手段と、
前記画像処理装置で作成され、画像処理装置から送信されたファイルを処理する１個または複数個のファイル処理手段と、
前記画像処理装置の機能を使用するための操作用画面を前記表示手段に表示するとともに、前記操作用画面からユーザにより入力された前記ファイルの作成指示及び送信指示を前記画像処理装置に送信し、該指示に基づいて画像処理装置で作成され送信されてきた前記ファイルを受信し、前記ファイル処理手段の要求に応じて前記ファイルをファイル処理手段に転送する連携手段と、
前記画像処理装置における前記ファイルについての送信履歴を含むログ情報と、自装置内での前記ファイルについてのログ情報を取得するログ情報取得手段と、
前記ログ情報取得手段により取得された画像処理装置側のログ情報と自装置内のログ情報とを一括して管理するログ情報管理手段と、
を備えたことを特徴とする携帯情報装置。
【請求項２３】
画像処理装置に有線または無線で接続可能な携帯情報装置であって、
表示手段と、
ジョブ実行対象のファイルを作成する１個または複数個のファイル処理手段と、
前記画像処理装置の機能を使用するための操作用画面を前記表示手段に表示するとともに、前記ファイル処理手段により作成されたファイルを受信し、前記操作用画面からユーザにより入力されたジョブ実行指示と前記受信したファイルとを画像処理装置に送信する連携手段と、
前記画像処理装置における前記ファイルについてのジョブ履歴を含むログ情報と、自装置内での前記ファイルについてのログ情報とを取得するログ情報取得手段と、
前記ログ情報取得手段により取得された画像処理装置側のログ情報と自装置内のログ情報とを一括して管理するログ情報管理手段と、
を備えたことを特徴とする携帯情報装置。
【発明の詳細な説明】
【技術分野】
【０００１】
この発明は、多機能デジタル複合機であるＭＦＰ（Multi Function Peripherals）等の画像処理装置と、この画像処理装置に有線または無線で接続可能なスマートフォン、タブレット端末等の携帯情報装置とを備えた画像処理連携システム、同システムで実行される画像処理連携方法、携帯情報装置、画像処理装置及び連携プログラムに関する。
【背景技術】
【０００２】
近年、スマートフォン、タブレット端末等の携帯情報装置は、電子化された文書を記憶可能であり、時と場所を選ばず、文書を閲覧したり編集したりできる。また、携帯情報装置で編集等したファイルを前記ＭＦＰ等の画像処理装置に送信し、画像処理装置で印刷または保存等の処理を実行させることができる。さらに、画像処理装置のスキャナ部で読み取った原稿の画像データ等からなるファイルを携帯情報装置に送信し、携帯情報装置で編集等を行うこともできる。
【０００３】
また、最近では、画像処理装置の機能を使用するために画像処理装置の操作パネルに表示される操作画面と同じ画面を、携帯情報装置の表示部に表示すると共に、携帯情報装置に表示された前記操作画面をユーザが操作したときの操作情報を画像処理装置に送信し、画像処理装置は受信した操作情報に基づいて、画像処理装置の操作画面に対して操作がなされたときと同じ動作を実行するようにした、画像処理装置と携帯情報装置との連携システムが提案されている。
【０００４】
このシステムでは、携帯情報装置での操作により画像処理装置の操作画面を操作したときと同様の動作を画像処理装置に実行させることができるから、ファイルを画像処理装置と携帯情報装置とにまたがって取り扱う場合の操作を携帯情報装置の操作画面から簡単に行うことができ、画像処理装置と携帯情報装置の間での機能連携をスムーズに行うことができる。
【０００５】
ところで、画像処理装置や携帯情報装置を操作した場合、装置の利用履歴であるログ情報が作成され、保存されるのが一般的である。このようなログ情報は、画像処理装置及び携帯情報装置でそれぞれ個別に作成され保存されるものであり、前述したような画像処理装置と携帯情報装置とを連携動作させ、ファイルを画像処理装置と携帯情報装置とにまたがって取り扱う連携システムであっても例外ではなかった。
【０００６】
このため、画像処理装置と携帯情報装置とにまたがって処理されたファイルを追跡等したい場合、画像処理装置側のログ情報と携帯情報装置側のログ情報とをそれぞれの装置で別々に表示させて確認するしかなく、面倒であった。
【０００７】
なお、特許文献１には、 画像形成装置及び情報処理装置を含むシステムであって、ユーザにより画像形成装置の状態を即時に確認するかを設定し、前記画像形成装置から当該画像形成装置の状態の変化に基づく状態ログを含むファイルを外部のファイルサーバに送信し、前記情報処理装置において前記システムに含まれる画像形成装置のリストを画面に表示し、状態を即時に確認することが設定されている画像形成装置に関しては、前記リストにおいて該装置の状態の確認を指示するためのボタン表示が行われ、前記リストから状態の確認の指示が行われた場合に、画像形成装置から送信されたファイルに含まれる状態ログに基づいて当該画像形成装置のステータス表示を行う技術が開示されている。
【先行技術文献】
【特許文献】
【０００８】
【特許文献１】特開２０１１−１１９８７０号公報
【発明の概要】
【発明が解決しようとする課題】
【０００９】
しかし、上記特許文献１に記載の技術は、画像形成装置の装置状態を情報処理装置で管理するものであり、画像処理装置と携帯情報装置とを連携動作させ、ファイルを画像処理装置と携帯情報装置とにまたがって取り扱うことができる画像処理連携システムにおいて、ファイルの追跡等を簡単に行えないという問題点に対して、十分な解決策を提供しうるものではなかった。
【００１０】
この発明は、このような実情に鑑みてなされたものであり、ファイルを画像処理装置と携帯情報装置とにまたがって取り扱う場合に、ファイルの管理、追跡等を簡単に行うことができる画像処理連携システム及び連携方法を提供し、さらには前記連携システムに好適に用いられる画像処理装置及び携帯情報装置と、前記画像処理装置のコンピュータに処理を実行させるための連携プログラムを提供することを課題とする。
【課題を解決するための手段】
【００１１】
上記課題は、以下の手段によって解決される。
（１）画像処理装置及び該画像処理装置と有線または無線で接続可能な携帯情報装置を備えた画像処理連携システムであって、前記画像処理装置は、前記携帯情報装置からのユーザの指示に基づいて、前記携帯情報装置へ送信されるファイルを作成するファイル作成手段と、前記携帯情報装置からのユーザの指示に基づいて、前記ファイル作成手段により作成されたファイルを前記携帯情報装置に送信する送信手段と、前記ファイルについて、前記送信手段の送信履歴を含む自装置内でのログ情報を作成するログ情報作成手段と、を備え、前記携帯情報装置は、表示手段と、前記ファイルを処理する１個または複数個のファイル処理手段と、前記画像処理装置の機能を使用するための操作用画面を前記表示手段に表示するとともに、前記操作用画面からユーザにより入力された前記ファイルの作成指示及び送信指示を前記画像処理装置に送信し、該指示に基づいて画像処理装置で作成され送信されてきた前記ファイルを受信し、前記ファイル処理手段の要求に応じて前記ファイルをファイル処理手段に転送する連携手段と、前記画像処理装置のログ情報作成手段により作成された前記ファイルについてのログ情報と、自装置内での前記ファイルについてのログ情報を取得するログ情報取得手段と、前記ログ情報取得手段により取得された画像処理装置側のログ情報と自装置内のログ情報とを一括して管理するログ情報管理手段と、
を備えたことを特徴とする画像処理連携システム。
（２）前記携帯情報装置のログ情報取得手段は、前記画像処理装置からのログ情報の送信を待って該画像処理装置側のログ情報を取得するか、または画像処理装置にログ情報の取得要求を行うことにより画像処理装置側のログ情報を取得する請求項１に記載の画像処理連携システム。
（３）前記携帯情報装置のログ情報取得手段による画像処理装置へのログ情報の取得要求は、画像処理装置からの前記ファイルの受信時か、所定のユーザ操作がなされた時か、または定期的に行われる請求項２に記載の画像処理連携システム。
（４）前記携帯情報装置のログ情報取得手段は、前記各ファイル処理手段から操作ログを取得することにより自装置内のログ情報を取得する請求項１〜３のいずれかに記載の画像処理連携システム。
（５）前記携帯情報装置のログ情報取得手段は、前記ファイル処理手段への前記ファイル転送の実行ログを自装置内のログ情報として取得する請求項１〜３のいずれかに記載の画像処理連携システム。
（６）前記携帯情報装置のログ情報取得手段による自装置内のログ情報の取得は、前記ファイル処理手段へのファイルの転送時か、前記ファイル処理手段からファイルの転送要求があった時か、ファイル処理手段によるファイル処理の終了時か、所定のユーザ操作がなされた時か、または定期的に行われる請求項１〜５のいずれかに記載の画像処理連携システム。
（７）画像処理装置及び該画像処理装置と有線または無線で接続可能な携帯情報装置を備えた画像処理連携システムであって、前記画像処理装置は、前記携帯情報装置からのユーザのジョブ実行指示に基づいて、携帯情報装置から送信されたファイルについてのジョブを実行するジョブ実行手段と、前記ジョブ実行手段によるジョブ履歴を含む前記ファイルについての自装置内でのログ情報を作成するログ情報作成手段と、を備え、前記携帯情報装置は、表示手段と、ジョブ実行対象のファイルを作成する１個または複数個のファイル処理手段と、前記画像処理装置の機能を使用するための操作用画面を前記表示手段に表示するとともに、前記ファイル処理手段により作成されたファイルを受信し、前記操作用画面からユーザにより入力されたジョブ実行指示と前記受信したファイルとを画像処理装置に送信する連携手段と、前記画像処理装置のログ情報作成手段により作成された前記ファイルについてのログ情報と、自装置内での前記ファイルについてのログ情報とを取得するログ情報取得手段と、前記ログ情報取得手段により取得された画像処理装置側のログ情報と自装置内のログ情報とを一括して管理するログ情報管理手段と、を備えたことを特徴とする画像処理連携システム。
（８）前記携帯情報装置のログ情報取得手段は、前記画像処理装置からのログ情報の送信を待って該画像処理装置側のログ情報を取得するか、または画像処理装置に取得要求を行うことにより画像処理装置側のログ情報を取得する請求項７に記載の画像処理連携システム。
（９）前記携帯情報装置のログ情報取得手段による画像処理装置へのログ情報の取得要求は、ジョブの実行完了後に前記画像形成装置から送信されるジョブの実行完了通知の受信時か、所定のユーザ操作がなされた時か、または定期的に行われる請求項８に記載の画像処理連携システム。
（１０）前記携帯情報装置のログ情報取得手段は、前記各ファイル処理手段から操作ログを取得することにより自装置内のログ情報を取得する請求項７〜９のいずれかに記載の画像処理連携システム。
（１１）前記携帯情報装置のログ情報取得手段は、前記ファイル処理手段からの前記ファイル受信の実行ログを自装置内のログ情報として取得する請求項７〜９のいずれかに記載の画像処理連携システム。
（１２）前記携帯情報装置のログ情報取得手段による自装置内のログ情報の取得は、前記ファイル処理手段からのファイルの受信時か、所定のユーザ操作がなされた時か、または定期的に行われる請求項７〜１１のいずれかに記載の画像処理連携システム。
（１３）前記携帯情報装置は、前記ログ情報管理手段により管理されている同一のファイルについての画像処理装置側及び自装置側のログ情報を、ユーザの要求に応じて前記表示手段に一覧表示させる表示制御手段をさらに備えている請求項１〜１２のいずれかに記載の画像処理連携システム。
（１４）前記携帯情報装置は、前記ログ情報管理手段で管理されている画像処理装置側及び自装置側のログ情報を、前記画像処理装置に送信する送信手段を備え、前記画像処理装置は、前記ログ情報作成手段により作成された自装置側のログ情報を、前記携帯情報装置から送信された自装置及び携帯情報装置側のログ情報で上書きする請求項１〜１３のいずれかに記載の画像処理連携システム。
（１５）前記携帯情報装置には、中継アプリケーションと１個または複数個の汎用アプリケーションがインストールされるとともに、これらのアプリケーションを実行するアプリケーション実行手段を有し、前記連携手段、ログ情報取得手段及びログ情報管理手段は、前記アプリケーション実行手段が前記中継アプリケーションを実行することにより構成され、前記ファイル処理手段は、前記アプリケーション実行手段が前記汎用アプリケーションを実行することにより構成される請求項１〜１４のいずれかに記載の画像処理連携システム。
（１６）画像処理装置及び該画像処理装置と有線または無線で接続可能な携帯情報装置を備えた画像処理連携システムで実施される画像処理連携方法であって、前記画像処理装置は、前記携帯情報装置からのユーザの指示に基づいて、前記携帯情報装置へ送信されるファイルを作成するファイル作成ステップと、前記携帯情報装置からのユーザの指示に基づいて、前記ファイル作成ステップにおいて作成されたファイルを前記携帯情報装置に送信する送信ステップと、前記ファイルについて、前記送信ステップでの送信履歴を含む自装置内でのログ情報を作成するログ情報作成ステップと、を実施し、前記携帯情報装置は、前記ファイルを処理する１個または複数個のファイル処理ステップと、前記画像処理装置の機能を使用するための操作用画面を表示手段に表示するとともに、前記操作用画面からユーザにより入力された前記ファイルの作成指示及び送信指示を前記画像処理装置に送信し、該指示に基づいて画像処理装置で作成され送信されてきた前記ファイルを受信し、前記ファイル処理ステップからの要求に応じて前記ファイルをファイル処理ステップに転送する連携ステップと、前記画像処理装置のログ情報作成ステップにおいて作成された前記ファイルについてのログ情報と、自装置内での前記ファイルについてのログ情報を取得するログ情報取得ステップと、前記ログ情報取得ステップにおいて取得された画像処理装置側のログ情報と自装置内のログ情報とを一括して管理するログ情報管理ステップと、を実施することを特徴とする画像処理連携方法。
（１７）画像処理装置及び該画像処理装置と有線または無線で接続可能な携帯情報装置を備えた画像処理連携システムで実施される画像処理連携方法であって、前記画像処理装置は、前記携帯情報装置からのユーザのジョブ実行指示に基づいて、携帯情報装置から送信されたファイルについてのジョブを実行するジョブ実行ステップと、前記ジョブ実行ステップでのジョブ履歴を含む前記ファイルについての自装置内でのログ情報を作成するログ情報作成ステップと、を実施し、前記携帯情報装置は、ジョブ実行対象のファイルを作成する１個または複数個のファイル処理ステップと、前記画像処理装置の機能を使用するための操作用画面を表示手段に表示するとともに、前記ファイル処理ステップにおいて作成されたファイルを受信し、前記操作用画面からユーザにより入力されたジョブ実行指示と前記受信したファイルとを画像処理装置に送信する連携ステップと、前記画像処理装置のログ情報作成ステップにおいて作成された前記ファイルについてのログ情報と、自装置内での前記ファイルについてのログ情報とを取得するログ情報取得ステップと、前記ログ情報取得ステップにおいて取得された画像処理装置側のログ情報と自装置内のログ情報とを一括して管理するログ情報管理ステップと、を実施することを特徴とする画像処理連携方法。
（１８）携帯情報装置を有線または無線で接続可能な画像処理装置であって、前記携帯情報装置からのユーザの指示に基づいて、前記携帯情報装置へ送信されるファイルを作成するファイル作成手段と、前記携帯情報装置からのユーザの指示に基づいて、前記ファイル作成手段により作成されたファイルを前記携帯情報装置に送信する送信手段と、前記ファイルについて、前記送信手段の送信履歴を含む自装置内でのログ情報を作成するログ情報作成手段と、を備え、前記送信手段は、前記ログ情報作成手段により作成されたログ情報を、前記携帯情報装置からのログ情報取得要求を待ってまたは待つことなく、携帯情報装置に送信することを特徴とする画像処理装置。
（１９）携帯情報装置を有線または無線で接続可能な画像処理装置であって、前記携帯情報装置からのユーザのジョブ実行指示に基づいて、携帯情報装置から送信されたファイルについてのジョブを実行するジョブ実行手段と、前記ジョブ実行手段によるジョブ履歴を含む前記ファイルについての自装置内でのログ情報を作成するログ情報作成手段と、前記ログ情報作成手段により作成されたログ情報を、前記携帯情報装置からのログ情報取得要求を待ってまたは待つことなく、携帯情報装置に送信する送信手段と、を備えたことを特徴とする画像処理装置。
（２０）携帯情報装置を有線または無線で接続可能な画像処理装置のコンピュータに実行させるための連携プログラムであって、前記携帯情報装置からのユーザの指示に基づいて、前記携帯情報装置へ送信されるファイルを作成するファイル作成ステップと、前記携帯情報装置からのユーザの指示に基づいて、前記ファイル作成ステップにおいて作成されたファイルを前記携帯情報装置に送信する送信ステップと、前記ファイルについて、前記送信ステップでの送信履歴を含む画像処理装置内でのログ情報を作成するログ情報作成ステップと、を前記コンピュータに実行させ、前記送信ステップでは、前記ログ情報作成ステップにおいて作成されたログ情報を、前記携帯情報装置からのログ情報取得要求を待ってまたは待つことなく、携帯情報装置に送信する処理を前記コンピュータに実行させるための連携プログラム。
（２１）携帯情報装置を有線または無線で接続可能な画像処理装置のコンピュータに実行させるための連携プログラムであって、前記携帯情報装置からのユーザのジョブ実行指示に基づいて、携帯情報装置から送信されたファイルについてのジョブを実行するジョブ実行ステップと、前記ジョブ実行ステップでのジョブ履歴を含む前記ファイルについての自装置内でのログ情報を作成するログ情報作成ステップと、前記ログ情報作成ステップにおいて作成されたログ情報を、前記携帯情報装置からのログ情報取得要求を待ってまたは待つことなく、携帯情報装置に送信する送信ステップと、を前記コンピュータに実行させるための連携プログラム。
（２２）画像処理装置に有線または無線で接続可能な携帯情報装置であって、表示手段と、前記画像処理装置で作成され、画像処理装置から送信されたファイルを処理する１個または複数個のファイル処理手段と、前記画像処理装置の機能を使用するための操作用画面を前記表示手段に表示するとともに、前記操作用画面からユーザにより入力された前記ファイルの作成指示及び送信指示を前記画像処理装置に送信し、該指示に基づいて画像処理装置で作成され送信されてきた前記ファイルを受信し、前記ファイル処理手段の要求に応じて前記ファイルをファイル処理手段に転送する連携手段と、前記画像処理装置における前記ファイルについての送信履歴を含むログ情報と、自装置内での前記ファイルについてのログ情報を取得するログ情報取得手段と、前記ログ情報取得手段により取得された画像処理装置側のログ情報と自装置内のログ情報とを一括して管理するログ情報管理手段と、を備えたことを特徴とする携帯情報装置。
（２３）画像処理装置に有線または無線で接続可能な携帯情報装置であって、表示手段と、ジョブ実行対象のファイルを作成する１個または複数個のファイル処理手段と、前記画像処理装置の機能を使用するための操作用画面を前記表示手段に表示するとともに、前記ファイル処理手段により作成されたファイルを受信し、前記操作用画面からユーザにより入力されたジョブ実行指示と前記受信したファイルとを画像処理装置に送信する連携手段と、前記画像処理装置における前記ファイルについてのジョブ履歴を含むログ情報と、自装置内での前記ファイルについてのログ情報とを取得するログ情報取得手段と、前記ログ情報取得手段により取得された画像処理装置側のログ情報と自装置内のログ情報とを一括して管理するログ情報管理手段と、を備えたことを特徴とする携帯情報装置。
【発明の効果】
【００１２】
前項（１）に記載の発明によれば、携帯情報装置の連携手段により携帯情報装置に表示された、画像処理装置の機能を使用するための操作用画面からのユーザの操作指示に基づいて、画像処理装置によりファイルが作成されるとともに、作成されたファイルが携帯情報装置に送信される。また、ファイルについて、送信履歴を含むログ情報が画像処理装置で作成される。一方、携帯情報装置の連携手段は、受信したファイルをファイル処理手段の要求に応じて転送するとともに、画像処理装置で作成された前記ファイルについてのログ情報と、携帯情報装置内でのファイルについてのログ情報を取得する。そして、取得した画像処理装置側のログ情報と携帯情報装置内のログ情報とを一括して管理する。
【００１３】
このように、携帯情報装置は画像処理装置側のログ情報を取得して、自装置内のログ情報と合わせて管理するから、画像処理装置で作成され携帯情報装置で処理されたファイルについての画像処理装置側のログ情報と携帯情報装置側のログ情報とを携帯情報装置により一括して管理でき、従って画像処理装置と携帯情報装置とにまたがって取り扱われたファイルの追跡等が簡単になる。
【００１４】
前項（２）に記載の発明によれば、携帯情報装置は、画像処理装置からのログ情報の送信を待って画像処理装置側のログ情報を取得するか、または画像処理装置にログ情報の取得要求を行うことにより画像処理装置側のログ情報を取得するから、画像処理装置側のログ情報を確実に取得できる。
【００１５】
前項（３）に記載の発明によれば、画像処理装置へのログ情報の取得要求は、画像処理装置からの前記ファイルの受信時か、所定のユーザ操作がなされた時か、または定期的に行われるから、画像処理装置側のログ情報を確実に取得できる。
【００１６】
前項（４）に記載の発明によれば、携帯情報装置は、各ファイル処理手段から操作ログを取得することにより自装置内のログ情報を取得する。
【００１７】
前項（５）に記載の発明によれば、携帯情報装置は、ファイル処理手段へのファイル転送の実行ログを自装置内のログ情報として取得する。
【００１８】
前項（６）に記載の発明によれば、携帯情報装置による自装置内のログ情報の取得は、ファイル処理手段へのファイルの転送時か、ファイル処理手段からファイルの転送要求があった時か、ファイル処理手段によるファイル処理の終了時か、所定のユーザ操作がなされた時か、または定期的に行われるから、自装置内のログ情報を確実に取得することができる。
【００１９】
前項（７）に記載の発明によれば、携帯情報装置でジョブ実行対象のファイルが作成されるとともに、携帯情報装置の連携手段により携帯情報装置に表示された、画像処理装置の機能を使用するための操作用画面から操作されたユーザのジョブ実行指示と、前記ファイルとが、画像処理装置に送信される。画像処理装置は、携帯情報装置からのユーザのジョブ実行指示に基づいて、携帯情報装置から送信されたファイルについてのジョブを実行し、ログ情報を作成する。携帯情報装置は、画像処理装置で作成された前記ファイルについてのログ情報と、携帯情報装置内でのファイルについてのログ情報を取得する。そして、取得した画像処理装置側のログ情報と携帯情報装置内のログ情報とを一括して管理する。
【００２０】
このように、携帯情報装置は画像処理装置側のログ情報を取得して、自装置内のログ情報と合わせて管理するから、携帯情報装置で作成され画像処理装置でジョブを実行されたファイルについての画像処理装置側のログ情報と携帯情報装置側のログ情報とを携帯情報装置により一括して管理でき、従って画像処理装置と携帯情報装置とにまたがって取り扱われたファイルの追跡等が簡単になる。
【００２１】
前項（８）に記載の発明によれば、携帯情報装置は、画像処理装置からのログ情報の送信を待って画像処理装置側のログ情報を取得するか、または画像処理装置にログ情報の取得要求を行うことにより画像処理装置側のログ情報を取得するから、画像処理装置側のログ情報を確実に取得できる。
【００２２】
前項（９）に記載の発明によれば、画像処理装置へのログ情報の取得要求は、ジョブの実行完了後に前記画像形成装置から送信されるジョブの実行完了通知の受信時か、所定のユーザ操作がなされた時か、または定期的に行われるから、画像処理装置側のログ情報を確実に取得できる。
【００２３】
前項（１０）に記載の発明によれば、携帯情報装置は、各ファイル処理手段から操作ログを取得することにより自装置内のログ情報を取得する。
【００２４】
前項（１１）に記載の発明によれば、携帯情報装置は、ファイル処理手段からのファイル受信の実行ログを自装置内のログ情報として取得する。
【００２５】
前項（１２）に記載の発明によれば、携帯情報装置による自装置内のログ情報の取得は、ファイル処理手段からのファイルの受信時か、所定のユーザ操作がなされた時か、または定期的に行われるから、自装置内のログ情報を確実に取得することができる。
【００２６】
前項（１３）に記載の発明によれば、携帯情報装置により管理されている同一のファイルについての画像処理装置側及び自装置側のログ情報を、ユーザの要求に応じて表示手段に一覧表示させることができる。
【００２７】
前項（１４）に記載の発明によれば、画像処理装置は、自装置側のログ情報を携帯情報装置から送信された自装置及び携帯情報装置側のログ情報で上書きするから、自装置及び携帯情報装置側のログ情報を画像処理装置で簡単に印刷等することができる。
【００２８】
前項（１５）に記載の発明によれば、携帯情報装置にインストールされた中継アプリケーションを、アプリケーション実行手段が実行することにより、携帯情報装置の連携手段、ログ情報取得手段及びログ情報管理手段が構成され、携帯情報装置にインストールされた汎用アプリケーションを、アプリケーション実行手段が実行することにより、ファイル処理手段が構成される。
【００２９】
前項（１６）に記載の発明によれば、携帯情報装置は画像処理装置側のログ情報を取得して、自装置内のログ情報と合わせて管理するから、画像処理装置で作成され携帯情報装置で処理されたファイルについての画像処理装置側のログ情報と携帯情報装置側のログ情報とを携帯情報装置により一括して管理でき、従って画像処理装置と携帯情報装置とにまたがって取り扱われたファイルの追跡等が簡単になる。
【００３０】
前項（１７）に記載の発明によれば、携帯情報装置は画像処理装置側のログ情報を取得して、自装置内のログ情報と合わせて管理するから、携帯情報装置で作成され画像処理装置でジョブを実行されたファイルについての画像処理装置側のログ情報と携帯情報装置側のログ情報とを携帯情報装置により一括して管理でき、従って画像処理装置と携帯情報装置とにまたがって取り扱われたファイルの追跡等が簡単になる。
【００３１】
前項（１８）に記載の発明によれば、自装置で作成したファイルの携帯情報装置への送信履歴を含むログ情報を、携帯情報装置からのログ情報取得要求を待ってまたは待つことなく、携帯情報装置に送信する画像処理装置となし得る。
【００３２】
前項（１９）に記載の発明によれば、携帯情報装置からのファイルについてのジョブ履歴を含む自装置で作成したログ情報を、携帯情報装置からのログ情報取得要求を待ってまたは待つことなく、携帯情報装置に送信する画像処理装置となし得る。
【００３３】
前項（２０）に記載の発明によれば、自装置で作成したファイルの携帯情報装置への送信履歴を含むログ情報を、携帯情報装置からのログ情報取得要求を待ってまたは待つことなく、携帯情報装置に送信する処理を、画像処理装置のコンピュータに実行させることができる。
【００３４】
前項（２１）に記載の発明によれば、携帯情報装置からのファイルについてのジョブ履歴を含む自装置で作成したログ情報を、携帯情報装置からのログ情報取得要求を待ってまたは待つことなく、携帯情報装置に送信する処理を、画像処理装置のコンピュータに実行させることができる。
【００３５】
前項（２２）に記載の発明によれば、画像処理装置で作成され自装置で処理されたファイルについての画像処理装置側のログ情報と自装置側のログ情報とを一括して管理できる携帯情報装置となし得る。
【００３６】
前項（２３）に記載の発明によれば、自装置で作成され画像処理装置でジョブを実行されたファイルについての画像処理装置側のログ情報と自装置側のログ情報とを一括して管理できる携帯情報装置となし得る。
【図面の簡単な説明】
【００３７】
【図１】この発明の一実施形態に係る画像処理連携システムの構成図である。
【図２】画像処理装置と携帯情報装置の機能構成を示すブロック図である。
【図３】携帯情報装置の中継アプリケーションが起動されたときの画面図である。
【図４】画像処理装置と携帯情報装置との間での情報の送受を示すシーケンス図である。
【図５】画像処理装置側のステータス情報を含むログ情報のテーブルを示す図である。
【図６】画像処理装置側のログ情報に携帯情報装置側のログ情報が合成された状態を示す図である。
【図７】この発明の他の実施形態を示すもので、画像処理装置と携帯情報装置との間での情報の送受を示すシーケンス図である。
【図８】画像処理装置側のログ情報に携帯情報装置側のログ情報が合成された状態を示す。
【図９】ユーザＡが中継アプリケーションを介してログ情報の表示指示を行ったときに、携帯情報装置の表示部に表示されたログ情報を示す画面である。
【発明を実施するための形態】
【００３８】
以下、この発明の実施形態を図面に基づいて説明する。
【００３９】
図１は、この発明の一実施形態に係る画像処理連携システムの構成図である。
【００４０】
この画像処理連携システムは、画像処理装置１と、スマートフォンやタブレット端末等からなる携帯情報装置２と、パーソナルコンピュータからなるユーザ端末３を備えている。そして、後述するように、携帯情報装置２は画像処理装置１から送信されたファイルを編集や保存でき、あるいは端末装置３に電子メール等により配信でき、また携帯情報装置２から画像処理装置１へ印刷等のジョブを送信し実行させることができるものとなされている。
【００４１】
この実施形態では、画像処理装置１としてコピー機能、プリント機能、スキャン機能、ファクシミリ機能等を備えた前述のＭＦＰが用いられている。以下、画像処理装置をＭＦＰとも記す。
【００４２】
図２は、前記ＭＦＰ１と携帯情報装置２の機能構成を示すブロック図である。
【００４３】
ＭＦＰ１は、ＣＰＵ１０１、ＲＯＭ１０２、ＲＡＭ１０３，スキャナ部１０４、プリント部１０５、記憶部１０６、操作パネル部１０７、ＷＩＦＩ（Wireless Fidelity）モジュール１０９、ＬＡＮ（Local Area Network）コントローラ１１０、ＵＳＢインターフェース（ＵＳＢＩ／Ｆ）１１１等を備えている。
【００４４】
前記ＣＰＵ１０１は、ＲＯＭ１０２等に記憶された動作プログラムに従って動作することにより、ＭＦＰ１の全体を統括的に制御するものである。例えば、ＭＦＰ１の各種機能を使用可能に制御するほか、この実施形態では携帯情報装置２に表示するＭＦＰ１の操作画面を作成したり、携帯情報装置２からのユーザの指示に基づいて、携帯情報装置２に送信するファイルを作成したり、携帯情報装置２から送信されるファイルに対してプリントジョブ等のジョブを実行する。また、ＭＦＰ１が前記ファイルの作成、送信、ジョブ実行等を行った場合に、ＭＦＰ１の利用履歴であるログ情報の作成も行う。
【００４５】
前記ＲＯＭ１０２は、ＣＰＵ１０１の動作プログラム等を記憶するメモリであり、ＲＡＭ１０３はＣＰＵ１０１が動作プログラムに従って動作するときの作業領域を提供するメモリである。
【００４６】
前記スキャナ部１０４は、図示しないプラテンガラス上にセットされた原稿や、同じく図示しない自動原稿搬送装置にセットされた原稿の画像を読み取って、電子データである画像データを出力するものである。
【００４７】
前記プリント部１０５は、スキャナ部１０４により読み取られた原稿の画像データや、携帯情報装置２あるいはユーザ端末３から送信されたプリントデータを、用紙に印刷するものである。
【００４８】
前記記憶部１０６は、各種のデータやアプリケーション等を記憶するものであり、ハードディスク装置などが用いられている。この実施形態では、携帯情報装置２に表示するパネル画面を生成するためのパネル画面生成用パーツデータ等が記憶されている。携帯情報装置２には、ＭＦＰ１との接続連携時にＭＦＰ１の操作パネルに表示される、ユーザがＭＦＰの機能を使用するための操作画面と同じ操作画面（以下、リモート画面ともいう）が表示される。前記パネル画面生成用パーツデータは前記リモート画面を生成するためのパーツデータであり、例えば各機能設定用の基本画面やこの基本画面に配置される各種の選択キー等からなる。ＣＰＵ１０１は、携帯情報装置２でのユーザの操作に応じ、記憶部１０６に格納されているパネル画面生成用パーツデータのうち、必要なパーツデータを組合わせてパネル画面を生成し、生成された画面データを携帯情報装置２に送信する。携帯情報装置２はＭＦＰ１からの画面データを受信してＭＦＰ側で表示される操作画面と同じリモート画面を表示する。なお、リモート画面は必ずしもＭＦＰ１に表示される操作画面と同じでなくても良い。
【００４９】
操作パネル部１０７は、ＭＦＰ１を操作したりユーザにメッセージ等を表示するものであり、スタートキー、テンキー等を有するキー部１０７ａと、液晶等のタッチパネルからなる表示部１０７ｂを備えている。
【００５０】
前記ＷＩＦＩモジュール１０９は、携帯情報装置２と無線接続するためのインターフェースであり、前記ＬＡＮコントローラ１１０は、パーソナルコンピュータや他のＭＦＰ等の外部装置との間の通信を制御するものである。
【００５１】
前記ＵＳＢインターフェース１１１は携帯情報装置２と有線接続するためのインターフェースである。
【００５２】
一方、携帯情報装置２には、スマートフォン、タブレット型端末、電子ペーパー等が用いられる。携帯情報装置２は、ＣＰＵ２０１、ＲＡＭ２０２、記憶部２０３、表示部２０４、ＷＩＦＩモジュール２０５、ＬＡＮコントローラ２０６、ＵＳＢインターフェース２０７、ファイル処理部２０８ａ、２０８ｂ、連携部２０９、ログ情報取得・管理部２１０等を備えている。
【００５３】
前記ＣＰＵ２０１は、携帯情報装置２の全体を統括的に制御するものであり、基本ソフトウェアであるＯＳや、後述する中継アプリケーションあるいは汎用アプリケーションに従って動作する。
【００５４】
前記ＲＡＭ２０２は、ＣＰＵ２０１が動作プログラムに従って動作するときの作業領域となるめもりである。
【００５５】
前記記憶部２０３は、各種のデータやアプリケーション等を記憶するものであり、ハードディスク装置などが用いられている。この実施形態では、基本ＯＳ、中継アプリケーション、汎用アプリケーション等のプログラムを記憶している。なお、以下の説明ではアプリケーションを単にアプリともいう。
【００５６】
前記表示部２０４は、タッチパネルを備えた液晶等のデバイスからなる。
【００５７】
前記ＷＩＦＩモジュール２０５は、携帯情報装置２をＭＦＰ１と無線接続するためのインターフェースであり、前記ＬＡＮコントローラ２０６は、ユーザ端末３等の外部装置との間の通信を制御するものである。また、前記ＵＳＢインターフェース２０７は、携帯情報装置２をＭＦＰ１と有線接続するためのインターフェースである。
【００５８】
前記ファイル処理部２０８ａ、２０８ｂは、ＭＦＰ１で作成され送信されたファイルに編集、転送あるいはメール配信等の処理を実施する。また、ＭＦＰ１でジョブを実行させるファイルを作成することもできる。また、ファイル処理部２０８ａ、２０８ｂは、ファイルの編集、転送、メール配信等の処理を行った場合は、利用履歴である操作ログ等のログ情報を作成し保存する。以下、ファイル処理部２０８ａ、２０８ｂをいずれもファイル処理部２０８として説明する。
【００５９】
前記連携部２０９は、ＭＦＰ１と携帯情報装置２の間の機能連携を円滑に行うために、ＭＦＰ１の機能を使用できるようにするためのものである。具体的には、ＭＦＰ１のコピー機能、プリント機能、スキャン機能、ファクシミリ機能等を使用するためにＭＦＰ１の操作パネル部１０７に表示されるモード設定画面等と同じ画面を実現するための画面データを、ＭＦＰ１から受信してリモート画面として表示部２０４に表示したり、表示されたリモート画面をユーザが操作したときに、画面上の操作位置の座標を検出してＭＦＰ１に送信する。ＭＦＰ１は前記操作位置の座標を解析することにより、ユーザの操作指示を特定し、操作指示に応じた動作を実行する。また、前記リモート画面を操作してＭＦＰ１にファイルの作成と作成したファイルの自装置への送信を指示したり、ＭＦＰ１から受信したファイルを自装置のファイル処理部２０８からの要求に応じて該ファイル処理部２０８に転送する。
【００６０】
さらに、連携部２０９は、自装置内のファイル処理部２０８により作成されたジョブ実行用ファイルを、ファイル処理部２０８から受信するとともに、受信したファイルをユーザによるジョブの実行指示とともにＭＦＰ１に送信し、ＭＦＰ１にジョブを実行させる。また、ファイルの受信や送信を行った場合は、実行ログとしてログ情報を作成する。
【００６１】
前記ログ情報取得・管理部２１０は、ＭＦＰ１で作成されたファイルについてのログ情報をＭＦＰ１から取得するとともに、自装置内のログ情報をも取得して、両方のログ情報を一元管理する等の動作を行う。
【００６２】
ところで、前記ファイル処理部２０８は、ＣＰＵ２０１が前述した汎用アプリを実行することによりその機能が実現される。つまり、汎用アプリは、ＭＦＰ１で作成したファイルを処理したり、ＭＦＰ１でジョブを実行させるファイルを作成するファイル処理部２０８を実現するためのソフトウェアであり、例えばファイル編集用アプリ、ファイルを電子メールで配信する機能を有するアプリ、ウェブ上にファイルをストレージする機能を有するアプリ等、各種のアプリを用いることができる。
【００６３】
また、前記連携部２０９及びログ情報取得・管理部２１０は、ＣＰＵ２０１が前述した中継アプリを実行することによりそれらの機能が実現される。つまり、中継アプリはＭＦＰ１と携帯情報装置２とのスムーズな機能連携を図るためのソフトウェアである。また、中継アプリと汎用アプリとの間で、ファイルの転送やダウンロードを行うことができる。
【００６４】
次に、図１に示した画像処理連携システムの動作を、図３の携帯情報装置の画面図、及び図４のＭＦＰ１と携帯情報装置２との間での情報の送受を示すシーケンス図を用いて説明する。
【００６５】
ユーザＡが、ＭＦＰ１及び携帯情報装置２の相互のＵＳＢインターフェース１１１、２０７を介して、携帯情報装置２をＭＦＰ１と有線接続し、あるいは相互のＷＩＦＩモジュール１０９、２０５を介して無線接続する。
【００６６】
次いで、ユーザＡは携帯情報装置２の中継アプリを起動し、ＭＦＰ１のリモート画面データの取得を要求すると（図４の丸数字１）、ＭＦＰ１からリモート画面データが送信され（丸数字２）、携帯情報装置２の表示部２０４には図３に示すように、ＭＦＰ１の操作パネル部１０７に表示される操作用画面と同様のリモート画面２０４ａが、表示部２０４の左半分に表示される。なお、表示部２０４の右半分には、汎用アプリのアイコン等を含む携帯情報装置２の操作画面が表示されている。
【００６７】
ユーザＡが携帯情報装置２の表示部２０４に表示されたリモート画面２０４ａを用いて、例えばスキャン設定、宛先設定等を行うことで、原稿自動搬送装置にセットした原稿のスキャナ部１０４での読み取りによるファイルの作成と、作成されたファイルの携帯情報装置２への送信という操作指示を行ったとする（丸数字３）。
【００６８】
なお、携帯情報装置２はそのＣＰＵ２０１が中継アプリや汎用アプリを実行することにより動作を実行するものであるが、説明の簡素化のため、中継アプリや汎用アプリが動作を行うものとして説明する。
【００６９】
携帯情報装置２の中継アプリは、リモート画面上のタッチ位置の座標をＭＦＰ１に送信する。ＭＦＰ１のＣＰＵ１０１は、前記座標を解析して、操作画面上のタッチ位置とその位置がタッチされたことによる指示内容を特定し、前記スキャナ部１０４に原稿の読み取りを実行させ、電子データである画像データからなるファイルを作成する（丸数字４）。なお、ファイルは、スキャナ部１０４で読み取られた原稿の画像データに限定されるものではなく、ユーザの操作に基づいて、例えばＭＦＰ１の記憶部１０６に形成されたボックスに保存されている文書データを呼び出してファイルとしても良い。
【００７０】
読み取り終了後、作成されたファイルは、前述したユーザの指示に基づいて携帯情報装置２に送信される（丸数字６）。また、ＭＦＰ１のＣＰＵ１０１は、携帯情報装置２のユーザによって指示されたスキャナ部１０４による原稿の読み取り、ファイルの送信が完了するまでの間、読み取り中、読み取り完了、送信中、送信完了などのステータス情報を携帯情報装置２に通知する（丸数字５）。また、読み取りを行ったことを示す読み取り履歴、送信を行ったことを示す送信履歴等、ファイルに関するログ情報を作成し、記憶部１０６等に保存する一方、作成したログ情報をパラメータ（コントロールファイル）として画像データからなる前記ファイルの送信に続いて携帯情報装置２に送信する（丸数字６）。
【００７１】
携帯情報装置２の中継アプリは、ＭＦＰ１から受信したファイルを記憶部２０３のファイル格納部に格納すると共に、受信したログ情報を記憶部２０３のログ情報格納部に保存する（丸数字７）。なお、ＭＦＰ１から受信した前記ステータス情報は、携帯情報装置２の表示部２０４に表示され、ＭＦＰ１側のログ情報とともに保存される。
【００７２】
次に、ユーザＡは、使用したい汎用アプリを起動したのち、前記ＭＦＰ１から送信されたファイルを汎用アプリで編集、メール配信等するために、ファイル取得要求を中継アプリに対して行う（丸数字８）。この取得要求に応じて、中継アプリはファイル格納部に格納されているファイルを汎用アプリに転送する（丸数字９）。これにより、ファイルが汎用アプリにダウンロードされる。
【００７３】
汎用アプリにダウンロードされたファイルは、該アプリの有する編集、配信等の機能に基づく処理を実行される（丸数字１０、１１）。処理を実行したとき、汎用アプリはログ情報を作成し、記憶部２０３に保存する。
【００７４】
ユーザＡが中継アプリを再度起動し、ファイルについてのログ情報の表示を指示する（丸数字１２）。中継アプリは指示を受けると、汎用アプリに対して汎用アプリにより作成されたログ情報の取得要求を行い（丸数字１３）、汎用アプリから送信されたログ情報を取得する（丸数字１４）。そして、記憶部２０３に保存されている同一のファイルについてのＭＦＰ１側のログ情報に、前記汎用アプリから取得した携帯情報装置２側のログ情報を時系列で合成して、同一のファイルについてのＭＦＰ１側のログ情報と、携帯情報装置２側のログ情報とを併せた１つのログ情報テーブルを作成し（丸数字１５）、一括管理すると共に、作成したログ情報テーブルを携帯情報装置２の表示部２０４に表示する（丸数字１６）。
【００７５】
図５に、記憶部２０３に保存されているＭＦＰ１側のステータス情報を含むログ情報のテーブルを示す。このテーブルには、ＭＦＰ１側から送信されたステータス情報と、時刻、ユーザ名、文書名、送信先、送信先での操作の各項目からなるログ情報が示されている。また、この例では、ＭＦＰ１のログ情報として送信履歴が例示されているが、スキャンが実行されたことを示すログ情報が存在していても良い。
【００７６】
図６に、ＭＦＰ１側のログ情報に携帯情報装置２側のログ情報が合成された状態を示す。符号３０１がＭＦＰ１側のログ情報であり、符号３０２が携帯情報装置２側のログ情報である。この例では、ＭＦＰ１から携帯情報装置２へ送信されたファイルが、ユーザＡによって汎用アプリでダウンロードされ、編集された後、メール配信されたことが示されている。
【００７７】
このように、この実施形態では、携帯情報装置２はＭＦＰ１側のログ情報を取得して、自装置内のログ情報と合わせて管理するから、ＭＦＰ１で作成され携帯情報装置２で処理されたファイルについてのＭＦＰ１側のログ情報と携帯情報装置２側のログ情報とを携帯情報装置２により一括して管理でき、従ってＭＦＰ１と携帯情報装置２とにまたがって取り扱われたファイルの追跡等が簡単になる。
【００７８】
上記の実施形態では、ＭＦＰ１でファイルの作成・送信後に、ＭＦＰ１から自動的にログ情報を携帯情報装置２に送信し、従って携帯情報装置２がＭＦＰ１からのログ情報を待つことで、携帯情報装置２がログ情報を取得する場合を説明したが、携帯情報装置２からログ情報の取得要求をＭＦＰ１に行い、それに応じる形でＭＦＰ１から送信されることにより、ＭＦＰ１側のログ情報を取得しても良い。
【００７９】
この場合、ログ情報の取得要求は、ＭＦＰ１からのファイルの受信時に行われても良いし、所定のユーザ操作がなされた時に行われても良いし、予め設定されたタイミングで定期的に行われても良い。
【００８０】
また、携帯情報装置２の中継アプリが汎用アプリから操作ログ（ログ情報）を取得する場合を説明したが、中継アプリが作成する汎用アプリへのファイル転送の実行ログを、ログ情報としても良い。
【００８１】
また、中継アプリによる汎用アプリのログ情報の取得が、ユーザによりログ情報の表示要求がなされたときに行われるものとしたが、中継アプリから汎用アプリへのファイルの転送時や、汎用アプリからファイルの転送要求があった時や、汎用アプリによるファイル処理の終了時に行われても良いし、ログ情報の表示要求以外の所定のユーザ操作がなされた時に行われても良いし、または予め設定されたタイミングで定期的に行われても良い。
【００８２】
図７は、この発明の他の実施形態を示すもので、ＭＦＰ１と携帯情報装置２との間での情報の送受を示すシーケンス図である。
【００８３】
この実施形態は、携帯情報装置２の汎用アプリで作成したジョブ実行用ファイルを、携帯情報装置２からの指示に基づいて、ＭＦＰ１に転送しＭＦＰ１でジョブを実行する場合を示すものである。
【００８４】
携帯情報装置２のユーザＢが、使用したい汎用アプリを起動したのち、前記ＭＦＰ１から送信されたファイルを汎用アプリで編集するために、ファイル取得要求を中継アプリに対して行う（図７の丸数字１）。この取得要求に応じて、中継アプリは記憶部２０３のファイル格納部に格納されているファイルを汎用アプリに転送する（丸数字２）。これにより、ファイルが汎用アプリにダウンロードされる。
【００８５】
汎用アプリにダウンロードされたファイルは、必要に応じ該アプリの有する機能に基づいて編集され、ジョブ実行用ファイルが作成される（丸数字３）。ジョブ実行用ファイルの作成後、ユーザＢは汎用アプリから、ジョブ実行用ファイルのＭＦＰ１によるジョブ（この例でプリントジョブとする）の実行を指示し、ファイルを中継アプリに送信する（丸数字４）。
【００８６】
中継アプリはＬＰＲコマンド等を使用してファイルとプリント指示をＭＦＰ１に送信する（丸数字５）。汎用アプリは、ファイルの作成、プリント指示等の一連の操作についてログ情報を作成し、記憶部２０３に保存する。
【００８７】
前記ファイルとプリント指示を受信したＭＦＰ１は、プリントを実行する（丸数字６）。プリントが完了するまでの間、ＭＦＰ１はプリント中、プリント完了などのステータス情報を携帯情報装置２に通知する（丸数字７）。また、プリントを行ったことを示すプリントジョブ履歴をログ情報として作成し、記憶部１０６等に保存するとともに、プリント完了後に作成したログ情報を携帯情報装置２に送信する（丸数字８）。
【００８８】
携帯情報装置２の中継アプリは、ＭＦＰ１から受信したログ情報を記憶部２０３のログ情報格納部に保存する（丸数字９）。なお、ＭＦＰ１から受信した前記ステータス情報は、携帯情報装置２の表示部２０４に表示され、ＭＦＰ１側のログ情報とともに保存される。
【００８９】
ユーザＢが中継アプリを再度起動し、ファイルについてのログ情報の表示を指示する（丸数字１０）。中継アプリは指示を受けると、汎用アプリに対して汎用アプリにより作成されたログ情報の取得要求を行い（丸数字１１）、汎用アプリから送信されたログ情報を取得する（丸数字１２）。そして、記憶部２０３に保存されている同一のファイルについてのＭＦＰ１側のログ情報に、前記汎用アプリから取得した携帯情報装置２側のログ情報を時系列で合成して、同一のファイルについてのＭＦＰ１側のログ情報と、携帯情報装置２側のログ情報とを併せた１つのログ情報テーブルを作成し（丸数字１３）、一括管理すると共に、作成したログ情報テーブルを携帯情報装置２の表示部２０４に表示する（丸数字１４）。
【００９０】
図８に、ＭＦＰ１側のログ情報に携帯情報装置２側のログ情報が合成された状態を示す。この例では、図６に示したログ情報のテーブルの続きに、同一ファイルについてのユーザＢの操作に基づくログ情報が作成されている。
【００９１】
符号３０１が図６に示したものと同じＭＦＰ１側のログ情報、符号３０２が携帯情報装置２側のログ情報である。また、符号３０３がプリントジョブの指示・実行に伴うＭＦＰ１側のログ情報、符号３０４が携帯情報装置２側のログ情報である。
【００９２】
このように、この実施形態によっても、携帯情報装置２はＭＦＰ１側のログ情報を取得して、自装置内のログ情報と合わせて管理するから、携帯情報装置２で作成されＭＦＰ１でジョブを実行されたファイルについてのＭＦＰ１側のログ情報と携帯情報装置２側のログ情報とを携帯情報装置２により一括して管理でき、従ってＭＦＰ１と携帯情報装置２とにまたがって取り扱われたファイルの追跡等が簡単になる。
【００９３】
図７の実施形態では、ＭＦＰ１でジョブの実行後に、ＭＦＰ１から自動的にログ情報を携帯情報装置２に送信し、従って携帯情報装置２がＭＦＰ１からのログ情報を待つことで、携帯情報装置２がログ情報を取得する場合を説明したが、携帯情報装置２からログ情報の取得要求をＭＦＰ１に行い、それに応じる形でＭＦＰ１から送信されることにより、ＭＦＰ１側のログ情報を取得しても良い。
【００９４】
この場合、ログ情報の取得要求は、ジョブの実行完了後にＭＦＰ１から送信されるジョブの実行完了通知の受信時に行われても良いし、所定のユーザ操作がなされた時に行われても良いし、予め設定されたタイミングで定期的に行われても良い。
【００９５】
また、携帯情報装置２の中継アプリが汎用アプリから操作ログ（ログ情報）を取得する場合を説明したが、中継アプリが汎用アプリからファイルを受信したときの実行ログを、ログ情報としても良い。
【００９６】
また、汎用アプリからのログ情報の取得が、ユーザによりログ情報の表示要求がなされたときに行われるものとしたが、汎用アプリからのファイルの受信時に行われても良いし、ログ情報の表示要求以外の所定のユーザ操作がなされた時に行われても良いし、または予め設定されたタイミングで定期的に行われても良い。
【００９７】
図９は、ユーザＡが中継アプリを介してログ情報の表示指示を行ったときに、携帯情報装置２の表示部２０４に表示されたログ情報を示す画面である。この画面には、「印刷」ボタン、「送信」ボタン、「アクセスログ」ボタンが表示され、ユーザはそれぞれのボタンを選択できるようになっている。
【００９８】
「印刷」ボタンは、携帯情報装置２からＭＦＰ１へ送信したファイルの印刷ジョブに関するログ情報（印刷ジョブ履歴）を表示するボタンである。「送信」ボタンは、ＭＦＰ１と携帯情報装置２との間でファイルが送信されたときのログ情報、及びＭＦＰ１から携帯情報装置２の中継アプリへ送信されたファイルが、さらに汎用アプリに転送されたときのログ情報（送信履歴）を表示するボタンである。「アクセスログ」ボタンは、携帯情報装置２からＭＦＰ１に対してなされた操作についてのログ情報を表示するボタンである。
【００９９】
図９において、「送信」ボタンに描画されたハッチングは、ユーザによって「送信」ボタンが押されたことを示している。ユーザによって「送信」ボタンが押されると、携帯情報装置２の中継アプリは、ＭＦＰ１側のログ情報と携帯情報装置２側のログ情報とが合成された図６あるいは図８のテーブルから、送信ボタンを押したユーザと関連付けられた送信履歴を抽出して表示する。「印刷」ボタンや「アクセスログ」ボタンが押されたときも同様である。
【０１００】
このように、携帯情報装置２により、ＭＦＰ１側及び携帯情報装置２側のログ情報が一括して管理されるから、ユーザの表示要求に応じて簡単にログ情報の一覧を表示させることができる。
【０１０１】
以上、本発明の一実施形態を説明したが、本発明は上記実施形態に限定されることはない。
【０１０２】
例えば、ＭＦＰ１で作成したファイルを、携帯情報装置２の汎用アプリで必要に応じて編集等を加えてあるいは加えることなくジョブ実行用ファイルとし、このファイルについてのジョブをＭＦＰ１で実行した場合に、ＭＦＰ１側のログ情報と携帯情報装置２側のログ情報を合成する場合を説明した。しかし、携帯情報装置２の汎用アプリで作成されるジョブ実行用ファイルは、ＭＦＰ１で作成されたファイルである必要はない。
【０１０３】
また、ＭＦＰ１で作成されたファイルを、携帯情報装置２以外の外部装置へ保存するとともに、この保存されたファイルを携帯情報装置２の汎用アプリによりダウンロードして、ジョブ実行用ファイルとし、ＭＦＰ１にジョブの実行を指示しても良い。この場合、ＭＦＰ１で作成されたファイルの携帯情報装置２以外の外部装置への送信履歴を含めて、ＭＦＰ１側及び携帯情報装置２側のログ情報を一元管理しても良い。
【０１０４】
また、携帯情報装置２で管理されているＭＦＰ１側及び携帯情報装置２側のログ情報を、ＭＦＰ１に送信し、ＭＦＰ１側のログ情報に上書きしても良い。このような構成とすることにより、ユーザは、ＭＦＰ１側及び携帯情報装置２側のログ情報をＭＦＰ１により一括して印刷することができる。
【符号の説明】
【０１０５】
１        画像処理装置
２        携帯情報装置
１０１    ＣＰＵ
１０２    ＲＯＭ
１０３    ＲＡＭ
１０４    スキャナ部
１０６    記憶部
１０７    操作パネル部
１０７ｂ  表示部
１０９    ＷＩＦＩモジュール
１１１    ＵＳＢインターフェース
２０１    ＣＰＵ
２０３    記憶部
２０４    表示部
２０５    ＷＩＦＩモジュール
２０７    ＵＳＢインターフェース
２０８    ファイル処理部
２０９    連携部
２１０    ログ情報取得・管理部
【図１】
2014021874.tif 000003
【図２】
2014021874.tif 000004
【図３】
2014021874.tif 000005
【図４】
2014021874.tif 000006
【図５】
2014021874.tif 000007
【図６】
2014021874.tif 000008
【図７】
2014021874.tif 000009
【図８】
2014021874.tif 000010
【図９】
2014021874.tif 000011